(57)【要約】  本発明は通信方法および装置を開示する。前記通信方法は、基地局が予め設定したタイプの干渉を検出することと、前記基地局が干渉検出結果に基づいてシンボル設定情報を確定することと、基地局がシンボル設定情報を送信することと、を含み、前記シンボル設定情報は、上り伝送に使用不可能な上りシンボルおよび上り伝送に使用可能な上りシンボルのうちの少なくとも１つを指示するために用いられる。或いは、前記方法は、ユーザ機器ＵＥがシンボル設定情報を取得することと、前記ＵＥがシンボル設定情報に基づいて上りデータを上り伝送することと、を含み、前記シンボル設定情報は、上り伝送に使用不可能な上りシンボルおよび上り伝送に使用可能な上りシンボルのうちの少なくとも１つを指示するために用いられる。【選択図】図２
2020529788.tif 000002
【特許請求の範囲】
【請求項１】
基地局がシンボル設定情報を送信することを含む通信方法であって、
前記シンボル設定情報は、上り伝送に使用不可能な上りシンボルおよび上り伝送に使用可能な上りシンボルのうちの少なくとも１つを指示するために用いられる、通信方法。
【請求項２】
前記シンボル設定情報は、セルレベルの報知メッセージおよびユーザ機器ＵＥレベルのライセンス情報のうちの少なくとも１つにより携帯されている、請求項１に記載の通信方法。
【請求項３】
前記シンボル設定情報は、システム情報ブロック１、移動制御情報における無線リソース配置共通情報および下り制御情報のうちの少なくとも１つにより携帯されている、請求項１に記載の通信方法。
【請求項４】
前記基地局がシンボル設定情報を送信する前に、
前記基地局が予め設定したタイプの干渉を検出することと、
前記基地局が干渉検出結果に基づき、前記シンボル設定情報を確定することと、を含む、請求項１、２または３に記載の通信方法。
【請求項５】
前記シンボル設定情報は、１つの周期内の各上りシンボルに対応するビット域の値を含み、
上り伝送に使用可能な上りシンボルに対応するビット域の値は、上り伝送に使用不可能な上りシンボルに対応するビット域の値と異なる、請求項１〜４のいずれか一項に記載の通信方法。
【請求項６】
前記シンボル設定情報は、Ｎビットのビット情報を含み、
前記Ｎビットのビット情報と、上り伝送に使用不可能な上りシンボルのセットおよび上り伝送に使用不可能なシンボルの総数のうちの少なくとも１つとの間にマッピング関係が存在し、或いは、前記Ｎビットのビット情報と、上り伝送に使用可能な上りシンボルのセットおよび上り伝送に使用可能なシンボルの総数のうちの少なくとも１つとの間にマッピング関係が存在する、請求項１〜４のいずれか一項に記載の通信方法。
【請求項７】
ユーザ機器ＵＥがシンボル設定情報を取得することと、
前記ＵＥが前記シンボル設定情報に基づき、上りデータを上り伝送することと、を含む通信方法であって、
前記シンボル設定情報は、上り伝送に使用不可能な上りシンボルおよび上り伝送に使用可能な上りシンボルのうちの少なくとも１つを指示するために用いられる、通信方法。
【請求項８】
前記ＵＥがシンボル設定情報を取得することは、
前記ＵＥが基地局から送信されたセルレベルの報知メッセージから前記シンボル設定情報を取得すること、
前記ＵＥが基地局から下り送信されたＵＥレベルのライセンス情報から前記シンボル設定情報を取得すること、および
前記ＵＥが基地局から送信されたセルレベルの報知メッセージおよびＵＥレベルのライセンス情報に基づき、前記シンボル設定情報を確定することのうちの少なくとも１つを含む、請求項７に記載の通信方法。
【請求項９】
前記シンボル設定情報は、１つの周期内の各上りシンボルに対応するビット域の値を含み、
上り伝送に使用可能な上りシンボルに対応するビット域の値は、上り伝送に使用不可能な上りシンボルに対応するビット域の値と異なる、請求項７または８に記載の通信方法。
【請求項１０】
前記シンボル設定情報は、Ｎビットのビット情報を含み、
前記Ｎビットのビット情報と、上り伝送に使用不可能な上りシンボルのセットおよび上り伝送に使用不可能なシンボルの総数のうちの少なくとも１つとの間にマッピング関係が存在し、或いは、前記Ｎビットのビット情報と、上り伝送に使用可能な上りシンボルのセットおよび上り伝送に使用可能なシンボルの総数のうちの少なくとも１つとの間にマッピング関係が存在する、請求項７または８に記載の通信方法。
【請求項１１】
前記シンボル設定情報に基づいて前記上りデータのマッピングリソース位置が使用不可能であることを確定した場合、前記上りデータを送信しないことをさらに含む、請求項７に記載の通信方法。
【請求項１２】
シンボル設定情報を送信するように構成される送信モジュールを含む通信装置であって、
前記シンボル設定情報は、上り伝送に使用不可能な上りシンボルおよび上り伝送に使用可能な上りシンボルのうちの少なくとも１つを指示するために用いられる、通信装置。
【請求項１３】
予め設定したタイプの干渉を検出するように構成される検出モジュールと、
干渉検出結果に基づき、前記シンボル設定情報を確定するように構成される確定モジュールと、をさらに含む、請求項１２に記載の通信装置。
【請求項１４】
前記シンボル設定情報は、１つの周期内の各上りシンボルに対応するビット域の値を含み、
上り伝送に使用可能な上りシンボルに対応するビット域の値は、上り伝送に使用不可能な上りシンボルに対応するビット域の値と異なり、或いは、
前記シンボル設定情報は、Ｎビットのビット情報を含み、
前記Ｎビットのビット情報と、上り伝送に使用不可能な上りシンボルのセットおよび上り伝送に使用不可能なシンボルの総数のうちの少なくとも１つとの間にマッピング関係が存在し、或いは、前記Ｎビットのビット情報と、上り伝送に使用可能な上りシンボルのセットおよび上り伝送に使用可能なシンボルの総数のうちの少なくとも１つとの間にマッピング関係が存在する、請求項１２または１３に記載の通信装置。
【請求項１５】
シンボル設定情報を取得するように構成される取得モジュールと、
前記シンボル設定情報に基づき、上りデータを上り伝送するように構成される処理モジュールとを含む通信装置であって、
前記シンボル設定情報は、上り伝送に使用不可能な上りシンボルおよび上り伝送に使用可能な上りシンボルのうちの少なくとも１つを指示するために用いられる、通信装置。
【請求項１６】
前記取得モジュールは、
基地局から送信されたセルレベルの報知メッセージから前記シンボル設定情報を取得する形態、
基地局から下り送信されたＵＥレベルのライセンス情報から前記シンボル設定情報を取得する形態、および
基地局から送信されたセルレベルの報知メッセージおよびＵＥレベルのライセンス情報に基づき、前記シンボル設定情報を確定する形態のうちの少なくとも１つでシンボル設定情報を取得するように構成される、請求項１５に記載の通信装置。
【請求項１７】
前記シンボル設定情報は、１つの周期内の各上りシンボルに対応するビット域の値を含み、
上り伝送に使用可能な上りシンボルに対応するビット域の値は、上り伝送に使用不可能な上りシンボルに対応するビット域の値と異なり、或いは、
前記シンボル設定情報は、Ｎビットのビット情報を含み、
前記Ｎビットのビット情報と、上り伝送に使用不可能な上りシンボルのセットおよび上り伝送に使用不可能なシンボルの総数のうちの少なくとも１つとの間にマッピング関係が存在し、或いは、前記Ｎビットのビット情報と、上り伝送に使用可能な上りシンボルのセットおよび上り伝送に使用可能なシンボルの総数のうちの少なくとも１つとの間にマッピング関係が存在する、請求項１５または１６に記載の通信装置。
【請求項１８】
メモリーと、プロセッサと、前記メモリーに記憶されて前記プロセッサにおいて作動可能な通信プログラムとを含む基地局であって、
前記通信プログラムが前記プロセッサにより実行されると、請求項１〜６のいずれか一項に記載の通信方法を実現する、基地局。
【請求項１９】
メモリーと、プロセッサと、前記メモリーに記憶されて前記プロセッサにおいて作動可能な通信プログラムとを含むユーザ機器ＵＥであって、
前記通信プログラムが前記プロセッサにより実行されると、請求項７〜１１のいずれか一項に記載の通信方法を実現する、ユーザ機器ＵＥ。
【請求項２０】
通信プログラムが記憶されたコンピュータ可読媒体であって、
前記通信プログラムがプロセッサにより実行されると、請求項１〜１１のいずれか一項に記載の通信方法を実現する、コンピュータ可読媒体。
【発明の詳細な説明】
【技術分野】
【０００１】
本発明は、出願日２０１７年０８月０７日、出願番号２０１７１０６６７０７６．３、名称「通信方法および装置」の中国特許出願に対して優先権の利益を主張するものであり、当該出願の内容のすべてが本発明に援用される。
【０００２】
本発明は、通信技術分野に関し、たとえば、通信方法および装置に関する。
【背景技術】
【０００３】
ロングタームエボリューション（Ｌｏｎｇ  Ｔｅｒｍ  Ｅｖｏｌｕｔｉｏｎ、ＬＴＥ）システムにおいて、フレーム構造は、一定であり、複数種の上りチャネル伝送に使用可能なシンボルも一定である。たとえば、図１に示すように、時分割複信（Ｔｉｍｅ  Ｄｉｖｉｓｉｏｎ  Ｄｕｐｌｅｘ、ＴＤＤ）ＬＴＥシステムにおけるフレーム構造は、ＴＤＤ比率２で、上り伝送に使用可能なシンボルに上りパイロットスロット（ＵｐＰＴＳ、Ｕｐｌｉｎｋ  Ｐｉｌｏｔ  Ｔｉｍｅ  Ｓｌｏｔ）、サブフレーム（Ｓｕｂｆｒａｍｅ）＃２およびＳｕｂｆｒａｍｅ＃７があるように設定されており、そのうち、ＵｐＰＴＳにおいて１〜２つの上り伝送シンボルが設定されてもよく、１つのＳｕｂｆａｒｍｅにおいて１２個のシンボル（拡張プリフィックス（Ｅｘｔｅｎｄｅｄ  Ｃｙｃｌｉｃ  Ｐｒｅｆｉｘ））或いは１４個のシンボル（ノーマルプリフィックス（Ｎｏｒｍａｌ  Ｃｙｃｌｉｃ  Ｐｒｅｆｉｘ））が設定されてもよい。
【０００４】
第５世代の移動通信技術（Ｆｉｆｔｈ  Ｇｅｎｅｒａｔｉｏｎ、５Ｇ）通信システムにおいて、フレーム構造も一定であるか、或いは、ある時期で一定で不変である。
【０００５】
ＴＤＤＬＴＥシステムおよび５Ｇ通信システムでは、いずれもシンボル同士の干渉の相違に起因して上り性能を全体的に失うという問題が存在する。
【発明の概要】
【発明が解決しようとする課題】
【０００６】
本発明の実施例は、上り伝送されるシンボルの適応設定を実現することができる通信方法および装置を提供する。
【０００７】
本発明の実施例によれば、基地局がシンボル設定情報を送信することを含む通信方法であって、前記シンボル設定情報は、上り伝送に使用不可能な上りシンボルおよび上り伝送に使用可能な上りシンボルのうちの少なくとも１つを指示するために用いられる通信方法が提供される。
【０００８】
本発明の実施例によれば、
ユーザ機器（Ｕｓｅｒ  Ｅｑｕｉｐｍｅｎｔ、ＵＥ）がシンボル設定情報を取得することと、
前記シンボル設定情報に基づき、上りデータを上り伝送することと、含む通信方法であって、
前記シンボル設定情報は、上り伝送に使用不可能な上りシンボルおよび上り伝送に使用可能な上りシンボルのうちの少なくとも１つを指示するために用いられる、通信方法が提供される。
【０００９】
本発明の実施例によれば、
シンボル設定情報を送信するための送信モジュールを含む通信装置であって、前記シンボル設定情報は、上り伝送に使用不可能な上りシンボルおよび上り伝送に使用可能な上りシンボルのうちの少なくとも１つを指示するために用いられる通信装置が提供される。
【００１０】
本発明の実施例によれば、
シンボル設定情報を取得するように構成される取得モジュールと、
前記シンボル設定情報に基づき、上りデータを上り伝送するように構成される処理モジュールとを含む通信装置であって、
前記シンボル設定情報は、上り伝送に使用不可能な上りシンボルおよび上り伝送に使用可能な上りシンボルのうちの少なくとも１つを指示するために用いられる通信装置が提供される。
【００１１】
本発明の実施例によれば、メモリーと、プロセッサと、前記メモリーに記憶されて前記プロセッサにおいて作動可能な通信プログラムとを含む基地局であって、前記通信プログラムが前記プロセッサにより実行されると、上述した通信方法を実現する、基地局が提供される。
【００１２】
本発明の実施例によれば、メモリーと、プロセッサと、前記メモリーに記憶されて前記プロセッサにおいて作動可能な通信プログラムとを含むＵＥであって、前記通信プログラムが前記プロセッサにより実行されると、上述した通信方法を実現する、ＵＥが提供される。
【００１３】
本発明の実施例によれば、通信プログラムが記憶されたコンピュータ可読媒体であって、前記通信プログラムがプロセッサにより実行されると、上述した通信方法を実現する、コンピュータ可読媒体が提供される。
【００１４】
本発明の実施例によれば、通信プログラムが記憶されたコンピュータ可読媒体であって、前記通信プログラムがプロセッサにより実行されると、上述した通信方法を実現する、コンピュータ可読媒体が提供される。
【図面の簡単な説明】
【００１５】
【図１】関連技術におけるＴＤＤＬＴＥシステムのフレーム構造の模式図である。
【図２】本発明の一実施例に係る通信方法のフローチャートである。
【図３】本発明の他の実施例に係る通信方法のフローチャートである。
【図４】本発明の他の実施例に係る通信方法のフローチャートである。
【図５】本発明の他の実施例に係る通信方法のフローチャートである。
【図６】本発明の他の実施例に係る通信方法のフローチャートである。
【図７】本発明の他の実施例に係る通信方法のフローチャートである。
【図８】本発明の他の実施例に係る通信方法のフローチャートである。
【図９】本発明の他の実施例に係る通信方法のフローチャートである。
【図１０】本発明の他の実施例に係る通信方法のフローチャートである。
【図１１】本発明の他の実施例に係る通信方法のフローチャートである。
【図１２】本発明の他の実施例に係る通信方法のフローチャートである。
【図１３】本発明の他の実施例に係る通信方法のフローチャートである。
【図１４】本発明の一実施例に係る通信装置の模式図である。
【図１５】本発明の別の一実施例に係る通信装置の模式図である。
【図１６】本発明の一実施例に係る基地局の模式図である。
【図１７】本発明の一実施例に係るＵＥの模式図である。
【発明を実施するための形態】
【００１６】
以下は、図面を結び付けて本発明の実施例について説明する。下記説明される実施例は、本発明を説明・解釈するために過ぎず、本発明を限定するためのものではない。
【００１７】
ＴＤＤＬＴＥシステムの実際適用時に、複数の上りシンボルでの干渉に相違が存在する可能性があり、たとえば、大気ダクト（Ａｔｍｏｓｐｈｅｒｅ  Ｄｕｃｔ）で、上りシンボルでの干渉は、ＵｐＰＴＳから順に小さくなる。さらに、たとえば、ある原因で交差スロット干渉が現れた場合、複数の上りシンボルでの干渉にも相違が存在する。同様に、５Ｇ通信システムにおいて、シンボル同士の干渉の相違に起因して上り性能を全体的に失うという問題が存在する。
【００１８】
本発明は、通信方法および装置を提供し、上り伝送用のシンボルの適応メカニズムを導入することで、干渉が上り伝送に対する影響を低減させる。
【００１９】
図２は、本発明の実施例に係る通信方法のフローチャートである。図２に示すように、本実施例に係る通信方法は、基地局がシンボル設定情報を送信するステップ２０１を含む。
【００２０】
そのうち、シンボル設定情報は、上り伝送に使用不可能な上りシンボルおよび上り伝送に使用可能な上りシンボルのうちの少なくとも１つを指示するために用いられる。
【００２１】
例示的な実施形態において、シンボル設定情報は、セルレベルの報知メッセージおよびＵＥレベルのライセンス情報のうちの少なくとも１つにより携帯されてもよい。しかしながら、本発明は、それに限定されない。他の実現形態において、シンボル設定情報は、さらに、他のメッセージにより携帯されてもよい。
【００２２】
例示的な実施形態において、セルレベルの報知メッセージにより携帯されたシンボル設定情報は、セル内のすべてのＵＥへ、どちらの上りシンボルが上り伝送に使用可能であるか、或いはどちらの上りシンボルが上り伝送に使用不可能であるかを指示するために用いられてもよい。ＵＥレベルのライセンス情報により携帯されたシンボル設定情報は、当該ＵＥへ、どちらの上りシンボルが上り伝送に使用可能であるか、或いはどちらの上りシンボルが上り伝送に使用不可能であるかを指示するために用いられてもよい。
【００２３】
例示的な実施形態において、シンボル設定情報は、システム情報ブロック（Ｓｙｓｔｅｍ  Ｉｎｆｏｒｍａｔｉｏｎ  Ｂｌｏｃｋ、ＳＩＢ）１、移動制御情報における無線リソース配置共通情報（Ｍｏｂｉｌｉｔｙ  Ｃｏｎｔｒｏｌ  Ｉｎｆｏ→Ｒａｄｉｏ  Ｒｅｓｏｕｒｃｅ  Ｃｏｎｆｉｇ  Ｃｏｍｍｏｎ）、下り制御情報（Ｄｏｗｎｌｉｎｋ  Ｃｏｎｔｒｏｌ  Ｉｎｆｏｒｍａｔｉｏｎ、ＤＣＩ）のうちの少なくとも１つにより携帯されてもよい。
【００２４】
例示的な実施形態において、ステップ２０１の前に、本実施例における通信方法は、ステップ１００およびステップ２００を含む。
【００２５】
ステップ１００：基地局が予め設定したタイプの干渉を検出する。
【００２６】
例示的な実施形態において、基地局は、大気ダクト検出機能をスタートし、大気ダクトに関連付けられた干渉検出を行うか、或いは、基地局は、上り交差スロット干渉検出を行ってもよい。
【００２７】
ステップ２００：基地局が干渉検出結果に基づき、シンボル設定情報を確定する。
【００２８】
例示的な実施形態において、基地局は、大気ダクト干渉検出結果または上り交差スロット干渉検出結果に基づき、上り伝送に使用可能な上りシンボルまたは上り伝送に使用不可能な上りシンボルを確定した後、確定した情報に基づき、シンボル設定情報を設定してもよい。しかしながら、本発明は、それに限定されない。他の実現形態において、基地局は、さらに、他の検出形態で上り伝送に使用可能な上りシンボルまたは上り伝送に使用不可能な上りシンボルを確定してもよい。
【００２９】
例示的な実施形態において、シンボル設定情報は、１つの周期内の各上りシンボルに対応するビット域の値を含んでもよい。そのうち、上り伝送に使用可能な上りシンボルに対応するビット域の値は、上り伝送に使用不可能な上りシンボルに対応するビット域の値と異なる。たとえば、１つの上りシンボルに対応するビット域の値が０である場合、当該上りシンボルが上り伝送に使用不可能であることを示し、１つの上りシンボルに対応するビット域の値が１である場合、当該上りシンボルが上り伝送に使用可能であることを示す。
【００３０】
例示的な実施形態において、シンボル設定情報は、Ｎビットのビット情報を含んでもよい。当該Ｎビットのビット情報と、上り伝送に使用不可能な上りシンボルのセットおよび上り伝送に使用不可能なシンボルの総数のうちの少なくとも１つとの間にマッピング関係が存在し、或いは、当該Ｎビットのビット情報と、上り伝送に使用可能な上りシンボルのセットおよび上り伝送に使用可能なシンボルの総数のうちの少なくとも１つとの間にマッピング関係が存在する。そのうち、Ｎは、１以上の正整数であってもよい。
【００３１】
例示的な実現形態において、ＬＴＥシステムを例として、基地局は、ＬＴＥ  ＳＩＢ１およびＭｏｂｉｌｉｔｙ  Ｃｏｎｔｒｏｌ  Ｉｎｆｏ→Ｒａｄｉｏ  Ｒｅｓｏｕｒｃｅ  Ｃｏｎｆｉｇ  Ｃｏｍｍｏｎに新たに追加されたシンボル設定情報を含めて下り送信してもよい。前者は、アイドル状態（Ｉｄｌｅ）となったＵＥが上り物理共有チャネル（Ｐｈｙｓｉｃａｌ  Ｕｐｌｉｎｋ  Ｓｈａｒｅｄ  Ｃｈａｎｎｅｌ、ＰＵＳＣＨ）のシンボル設定情報を取得するために用いられてもよく、後者は、ＵＥを切り換えてターゲットセルにおける上りＰＵＳＣＨのシンボル設定情報を取得するために用いられてもよい。
【００３２】
本例示において、シンボル設定情報は、ＰＵＳＣＨのシンボル設定フィールド（ＰＵＳＣＨ  Ｓｙｍｂｏｌ  Ｃｏｎｆｉｇ）により携帯される。換言すれば、アイドル状態となったＵＥは、ＳＩＢ１におけるＰＵＳＣＨ  Ｓｙｍｂｏｌ  Ｃｏｎｆｉｇに基づき、上りＰＵＳＣＨの使用可能なシンボルを知ることができるため、ＵＥを切り換えることにより、Ｍｏｂｉｌｉｔｙ  Ｃｏｎｔｒｏｌ  Ｉｎｆｏ→Ｒａｄｉｏ  Ｒｅｓｏｕｒｃｅ  Ｃｏｎｆｉｇ  Ｃｏｍｍｏｎに含まれたＰＵＳＣＨ  Ｓｙｍｂｏｌ  Ｃｏｎｆｉｇに基づき、ターゲットセルにおける上りＰＵＳＣＨの使用可能なシンボルを知ることができる。
【００３３】
例示的な実施形態において、ＰＵＳＣＨ  Ｓｙｍｂｏｌ  Ｃｏｎｆｉｇを設定する際に、１０ミリ秒（ｍｓ）または５ｍｓを１つの周期としてもよい。例示的な実施形態において、前記周期の値は、報知メッセージにフィールドを追加することにより、ＵＥへ通知されてもよい。
【００３４】
例示的な実施形態において、ＰＵＳＣＨ  Ｓｙｍｂｏｌ  Ｃｏｎｆｉｇの設定形態は、１つの周期内の上りシンボルを順にそれぞれ１つのビット域に対応させるように設定し、上りシンボルに対応するビット域の値が０である場合、当該上りシンボルが上り伝送に使用不可能であることを示し、上りシンボルに対応するビット域の値が１である場合、当該上りシンボルが上り伝送に使用可能であることを示す形態と、Ｎビットのビット情報を用いて１つの周期内の最初の幾つかの上りシンボルが上り伝送に使用不可能であるかを示し、Ｎの値は、１つの周期内の上りシンボルの総数により決定される形態と、を含む。表１に示すように、ＰＵＳＣＨ  Ｓｙｍｂｏｌ  Ｃｏｎｆｉｇと、上り伝送に使用不可能なシンボルの総数およびＰＵＳＣＨの伝送に使用不可能なシンボルのセットとの間にマッピング関係が存在する。そのうち、上り伝送に使用不可能なシンボルの総数は、ＰＵＳＣＨの伝送に使用不可能なシンボルの数およびＵｐＴＰＳに設定されたシンボルの数（本例示において、２つのシンボルである）の和と等しい。
【００３５】
【表１】
2020529788.tif 000003
【００３６】
他の例示的な実現形態において、ＬＴＥシステムを例として、基地局は、ＵＥレベルのライセンス情報（たとえば、ＤＣＩ）によってＵＥへ使用可能な上りシンボルを通知してもよい。そのうち、上りスケジューリングに対応するＤＣＩ、たとえば、ＬＴＥのＤＣＩ０またはＤＣＩ４などにおいて、新たなビットを追加することにより、１つまたは複数の上りシンボルが上り伝送に使用可能であるか否かを示してもよい。
【００３７】
例示的な実施形態において、ＤＣＩが上りＰＵＳＣＨの伝送しか制御せず、上りＰＵＳＣＨのデータ伝送用のシンボルの数が１０（拡張ＣＰ）または１２（ノーマルＣＰ）であるため、１０個または１２個のビット域を設定してもよく、各ビット域の値は、対応する上りシンボルがＰＵＳＣＨの伝送に使用可能であるか否かを示す。
【００３８】
或いは、４ビットのビット情報（ＰＵＳＣＨ  Ｓｙｍｂｏｌ域により携帯されてもよい）を用いてもよい。当該情報の大きさは、ＰＵＳＣＨチャネルにおいて最初の幾つかの上りシンボルがＵＥのＰＵＳＣＨの伝送に使用不可能であるかを示してもよい。表２に示すように、ＰＵＳＣＨ  Ｓｙｍｂｏｌ域の値と、ＰＵＳＣＨの伝送に使用不可能なシンボルの総数およびＰＵＳＣＨの伝送に使用不可能なシンボルのセットとの間にマッピング関係が存在する。
【００３９】
【表２】
2020529788.tif 000004
【００４０】
本実施例における通信方法は、同様に５Ｇ通信システムに適用される。
【００４１】
本実施例において、基地局側に上り伝送のシンボルの適応設定形態が導入されている。当該適応設定形態は、ＵＥレベルのリアルタイム調整形態およびセルレベルの設定形態という２種を含んでもよい。この２種の適応設定形態は、独立して用いられてもよいし、併せて用いられてもよい。
【００４２】
図３は、本発明の他の実施例に係る通信方法の例示的なフローチャートである。本例示的な実施例において、ＬＴＥＴＤＤ比率２で、大気ダクト干渉が存在すると、基地局は、報知（ＳＩＢ１）形態で上り伝送に使用可能な上りシンボルを設定してもよい。本実施例において、シンボル周期は、５ｍｓであってもよく、且つＳＩＢ１により携帯されたＰＵＳＣＨ  Ｓｙｍｂｏｌ  Ｃｏｎｆｉｇは、１つの周期内の最初の幾つかの上りシンボルが上り伝送に使用不可能であるかを示してもよい。
【００４３】
図３に示すように、本実施例に関わる通信方法は、ステップ３０１〜３０６を含む。
【００４４】
ステップ３０１：基地局は、大気ダクト検出機能をスタートする。
【００４５】
ステップ３０２：基地局は、大気ダクトに関連付けられた干渉測定検出をスタートする。たとえば、上りチャネル（たとえば、ＵｐＰＴＳ、上りＰＵＳＣＨ、上りチャネルサウンディング参照信号（Ｓｏｕｎｄｉｎｇ  Ｒｅｆｅｒｅｎｃｅ  Ｓｉｇｎａｌ、ＳＲＳ）など）の干渉情報を検出し、大気ダクト干渉特性を満たすか否かを判断する。例示的な実施形態において、干渉測定検出は、閾値の判断、経時逓減の関連性、干渉リソースブロック（Ｒｅｓｏｕｒｃｅ  Ｂｌｏｃｋ、ＲＢ）の連続性または全帯域幅などの検出を含んでもよい。
【００４６】
ステップ３０３：基地局は、シンボルレベルの大気ダクト干渉が存在するか否かを判断し、存在すれば、ステップ３０４に移行し、存在しなければ、終了する。
【００４７】
ステップ３０４：基地局は、絶対干渉閾値または相対干渉閾値に基づき、大気ダクトで干渉された上りシンボルおよびシンボルの数を確定する。
【００４８】
ステップ３０５：基地局は、干渉された上りシンボルおよびシンボルの数に基づき、ＰＵＳＣＨ  Ｓｙｍｂｏｌ  Ｃｏｎｆｉｇを確定する。
【００４９】
ステップ３０６：基地局は、ＰＵＳＣＨ  Ｓｙｍｂｏｌ  Ｃｏｎｆｉｇが携帯されたＳＩＢ１を送信する。
【００５０】
ステップ３０５において、確定した干渉された上りシンボルおよびシンボルの数に基づき、表１からＰＵＳＣＨ  Ｓｙｍｂｏｌ  Ｃｏｎｆｉｇの値を確定してもよい。たとえば、１つの周期内のスロット＃０における上りシンボル＃０が大きく干渉されてＰＵＳＣＨの伝送に使用不可能であることを検出した際に、スロット＃０におけるシンボル＃０およびその前のＵｐＴＰＳに設定された２つのシンボルは、いずれもＰＵＳＣＨの伝送に使用不可能であるため、ＰＵＳＣＨの伝送に使用不可能なシンボルの総数が３であり、表１からＰＵＳＣＨ  Ｓｙｍｂｏｌ  Ｃｏｎｆｉｇの値が００１１であることを確定してもよい。続いて、ＵＥは、基地局から報知されたＳＩＢ１を受信した後、ＳＩＢ１に携帯されたＰＵＳＣＨ  Ｓｙｍｂｏｌ  Ｃｏｎｆｉｇに基づき、表１からどちらの上りシンボルがＰＵＳＣＨの伝送に使用不可能であるかを知ってもよい。
【００５１】
図４は、本発明の実施例に係る通信方法のフローチャートである。本例示的な実施例において、ＬＴＥＴＤＤ比率３で、同一周波数パケットネットワークＴＤＤ比率２での交差スロット干渉が存在すると、基地局は、報知（ＳＩＢ１）形態で上り伝送に使用可能な上りシンボルを設定してもよい。本実施例において、シンボル周期は、１０ｍｓであり、ＳＩＢ１により携帯されたＰＵＳＣＨ  Ｓｙｍｂｏｌ  Ｃｏｎｆｉｇは、１つの周期内の対応する上りシンボルが上り伝送に使用可能であるか否かを示してもよい。
【００５２】
図４に示すように、本実施例に係る通信方法は、ステップ４０１〜４０６を含む。
【００５３】
ステップ４０１：基地局は、上り干渉検出機能をスタートする。
【００５４】
ステップ４０２：基地局は、干渉測定をスタートする。たとえば、上りチャネル（たとえば、ＵｐＰＴＳ、上りＰＵＳＣＨおよび上りＳＲＳなど）の干渉情報を検出する。
【００５５】
ステップ４０３：基地局は、シンボルレベルの干渉が存在するか否かを判断し、存在すれば、ステップ４０４に移行し、存在しなければ、終了する。
【００５６】
ステップ４０４：基地局は、絶対干渉閾値または相対干渉閾値に基づき、干渉されたシンボルの状況を確定する。
【００５７】
ステップ４０５：基地局は、干渉されたシンボルの状況に基づき、ＰＵＳＣＨ  Ｓｙｍｂｏｌ  Ｃｏｎｆｉｇを確定する。
【００５８】
ステップ４０６：基地局は、ＰＵＳＣＨ  Ｓｙｍｂｏｌ  Ｃｏｎｆｉｇが携帯されたＳＩＢ１を送信する。
【００５９】
例示的な実施形態において、ＴＤＤ比率３で、１０ｍｓ以内、最大で３８の上りシンボル（拡張ＣＰで、３２個の上りシンボル）が存在し、３８個のビット域を用いて順（経時）に各上りシンボルが伝送に使用可能であるか否かを示してもよい。例示的な実施形態において、１つの上りシンボルに対応するビット域の値が０である場合、当該上りシンボルが上り伝送に使用不可能であることを示し、１つの上りシンボルに対応するビット域の値が１である場合、当該上りシンボルが上り伝送に使用可能であることを示す。
【００６０】
図５は、本発明の実施例に係る通信方法のフローチャートである。本例示的な実施例において、ＬＴＥＴＤＤ比率２で、大気ダクト干渉が存在すると、基地局は、ＤＣＩを用いてＵＥレベルのＰＵＳＣＨの伝送に使用可能なシンボルを制御してもよく、ＤＣＩにより携帯されたＰＵＳＣＨ  Ｓｙｍｂｏｌ域は、最初の幾つかの上りシンボルがＰＵＳＣＨの伝送に使用不可能であるかを指示する。
【００６１】
図５に示すように、本実施例に係る通信方法は、ステップ５０１〜５０７を含む。
【００６２】
ステップ５０１：基地局は、大気ダクト検出機能をスタートする。
【００６３】
ステップ５０２：基地局は、大気ダクトに関連付けられた干渉測定検出をスタートする。たとえば、上りチャネル（たとえば、ＵｐＰＴＳ、上りＰＵＳＣＨおよび上りＳＲＳ）など）の干渉情報を検出し、大気ダクト干渉特性を満たすか否かを判断する。例示的な実施形態において、干渉測定検出は、閾値の判断、経時逓減の関連性、干渉ＲＢの連続性または全帯域幅などの検出を含んでもよい。
【００６４】
ステップ５０３：基地局は、シンボルレベルの大気ダクト干渉が存在するか否かを判断し、存在すれば、ステップ５０４に移行し、存在しなければ、終了する。
【００６５】
ステップ５０４：基地局は、絶対干渉閾値または相対干渉閾値に基づき、大気ダクトで干渉されたシンボルの状況を確定する。
【００６６】
ステップ５０５：基地局は、ＵＥに上りスケジューリングが存在するか否かを判断し、存在すれば、ステップ５０６に移行し、存在しなければ、終了する。
【００６７】
ステップ５０６：ＵＥに上りスケジューリングが存在すると、基地局は、干渉されたシンボルの数、各シンボルにおける干渉の強さ、ＵＥから基地局までの位置情報、および上りパワーヘッドルームなどの要素に基づくとともに、基地局の復調性能などを綜合して、共同でＵＥが克服可能な干渉シンボルの数および干渉の強さなどを確定し、最終にＰＵＳＣＨの伝送に使用可能なシンボルを確定する。
【００６８】
ステップ５０７：基地局は、シンボル設定情報が携帯されたＤＣＩを送信する。
【００６９】
ステップ５０６において、確定した干渉されたシンボルの状況に基づき、表２からＤＣＩにより携帯されたＰＵＳＣＨ  Ｓｙｍｂｏｌ域の情報を確定してもよい。たとえば、１つの周期内のスロット＃０における上りシンボル＃０および＃１が大きく干渉されてＰＵＳＣＨの伝送に使用不可能であることを検出した際に、表２から分かるように、ＰＵＳＣＨ  Ｓｙｍｂｏｌ域の値が００１０であることを確定してもよい。続いて、ＵＥは、基地局から下り送信されたＤＣＩを受信した後、ＤＣＩにより携帯されたＰＵＳＣＨ  Ｓｙｍｂｏｌ域に基づき、表２からどちらの上りシンボルＰＵＳＣＨの伝送に使用不可能であるかを知ってもよい。
【００７０】
図６は、本発明の他の実施例に係る通信方法のフローチャートである。本例示的な実施例において、ＬＴＥＴＤＤ比率２で、大気ダクト干渉が存在すると、基地局は、ＤＣＩを用いてＵＥレベルのＰＵＳＣＨの伝送に使用可能なシンボルを制御してもよく、且つＤＣＩにおいて１つのシンボルが１つのビット域に対応する形態で指示する。
【００７１】
図６に示すように、本実施例に係る通信方法は、ステップ６０６〜６０７を含む。
【００７２】
ステップ６０１：基地局は、大気ダクト検出機能をスタートする。
【００７３】
ステップ６０２：基地局は、大気ダクトに関連付けられた干渉測定検出をスタートする。
【００７４】
たとえば、上りチャネル（たとえば、ＵｐＰＴＳ、上りＰＵＳＣＨおよび上りＳＲＳなど）の干渉情報を検出し、大気ダクト干渉特性を満たすか否かを判断し、そのうち、閾値の判断、経時逓減の関連性、干渉ＲＢの連続性または全帯域幅などの検出を含んでもよい。
【００７５】
ステップ６０３：基地局は、シンボルレベルの大気ダクト干渉が存在するか否かを判断し、存在すれば、ステップ６０４に移行し、存在しなければ、終了する。
【００７６】
ステップ６０４：基地局は、絶対干渉閾値または相対干渉閾値に基づき、大気ダクトで干渉されたシンボルの状況を確定する。
【００７７】
ステップ６０５：基地局は、ＵＥに上りスケジューリングが存在するか否かを判断し、存在すれば、ステップ６０６に移行し、存在しなければ、終了する。
【００７８】
ステップ６０６：ＵＥに上りスケジューリングが存在すると、基地局は、干渉されたシンボルの数、各シンボルにおける干渉の強さ、ＵＥから基地局までの位置情報および上りパワーヘッドルームなどの要素に基づくとともに、基地局の復調性能などを綜合して、共同でＵＥが克服可能な干渉シンボルの数および干渉の強さなどを確定し、最終にＰＵＳＣＨの伝送に使用可能なシンボルを確定する。ステップ６０６において、ＰＵＳＣＨの伝送に使用不可能なシンボルに対応するビット域の値を０、ＰＵＳＣＨの伝送に使用可能なシンボルに対応するビット域の値を１としてもよい。
【００７９】
ステップ６０７：基地局は、シンボル設定情報が携帯されたＤＣＩを送信する。
【００８０】
図７は、本発明の他の実施例に係る通信方法のフローチャートである。本例示的な実施例において、ＬＴＥ  ＴＤＤ比率２で、大気ダクト干渉が存在すると、基地局は、セルレベルのＳＩＢ１およびＵＥベルのＤＣＩを用いて、共同で上り伝送に使用可能なシンボルを制御することができる。
【００８１】
図７に示すように、本実施例に係る通信方法は、ステップ７０１〜７０７を含む。
【００８２】
ステップ７０１：基地局は、大気ダクト検出機能をスタートする。
【００８３】
ステップ７０２：基地局は、大気ダクトに関連付けられた干渉測定検出をスタートする。たとえば、上りチャネル（たとえば、ＵｐＰＴＳ、上りＰＵＳＣＨおよび上りＳＲＳなど）の干渉情報を検出し、大気ダクト干渉特性を満たすか否かを判断する。例示的な実施形態において、干渉測定検出閾値の判断、経時逓減の関連性、干渉ＲＢの連続性または全帯域幅などの検出を含んでもよい。
【００８４】
ステップ７０３：基地局は、シンボルレベルの大気ダクト干渉が存在するか否かを判断し、存在すれば、ステップ７０４に移行し、存在しなければ、終了する。
【００８５】
ステップ７０４：基地局は、絶対干渉閾値または相対干渉閾値に基づき、大気ダクトで干渉されたシンボル情况を確定する。
【００８６】
ステップ７０５：基地局は、干渉されたシンボルの状況に基づき、ＰＵＳＣＨ  Ｓｙｍｂｏｌ  Ｃｏｎｆｉｇを確定する。
【００８７】
ステップ７０５において、確定した干渉されたシンボルの状況に基づき、表１からＰＵＳＣＨ  Ｓｙｍｂｏｌ  Ｃｏｎｆｉｇの値を確定し、ＰＵＳＣＨ  Ｓｙｍｂｏｌ  Ｃｏｎｆｉｇが携帯されたＳＩＢ１を送信してもよい。
【００８８】
ステップ７０６：ＵＥに上りスケジューリングが存在するか否かを判断し、存在すれば、ステップ７０７に移行し、存在しなければ、終了する。
【００８９】
ステップ７０７：ＵＥに上りスケジューリングが存在すると、基地局は、干渉されたシンボルの数、各シンボルにおける干渉の強さ、およびＵＥから基地局までの位置情報、および上りパワーヘッドルームなどの要素に基づくとともに、基地局の変調性能などを綜合して、共同でＵＥが克服可能な干渉シンボルの数および干渉の強さなどを確定し、最終にＰＵＳＣＨの伝送に使用可能なシンボルを確定する。ステップ７０７において、確定した干渉されたシンボルの状況に基づき、表２からＤＣＩにより携帯されたＰＵＳＣＨ  Ｓｙｍｂｏｌ域の情報を確定し、確定したＰＵＳＣＨ  Ｓｙｍｂｏｌ域の情報が携帯されたＤＣＩを送信してもよい。
【００９０】
図８は、本発明の他の実施例に係る通信方法のフローチャートである。図８に示すように、本実施例に係る通信方法は、ステップ８０１およびステップ８０２を含む。
【００９１】
ステップ８０１：ＵＥは、シンボル設定情報を取得する。
【００９２】
ステップ８０２：シンボル設定情報に基づき、上りデータを上り伝送する。
【００９３】
例示的な実施形態において、シンボル設定情報は、上り伝送に使用不可能な上りシンボルおよび上り伝送に使用可能な上りシンボルのうちの少なくとも１つを指示するために用いられる。
【００９４】
例示的な実施形態において、ステップ８０１は、ＵＥが基地局から送信されたセルレベルの報知メッセージからシンボル設定情報を取得すること、ＵＥが基地局から下り送信されたＵＥレベルのライセンス情報からシンボル設定情報を取得すること、およびＵＥが基地局から送信されたセルレベルの報知メッセージおよびＵＥレベルのライセンス情報に基づき、シンボル設定情報を確定することのうちの少なくとも１つを含む。たとえば、ＵＥは、上り伝送に使用可能な上りシンボルが、セルレベルの報知メッセージにより携帯されたシンボル設定情報およびＵＥレベルのライセンス情報により携帯されたシンボル設定情報により指示される使用可能な上りシンボルの交差であることを確定してもよい。
【００９５】
例示的な実施形態において、シンボル設定情報は、１つの周期内の各上りシンボルに対応するビット域の値を含んでもよい。そのうち、上り伝送に使用可能な上りシンボルに対応するビット域の値は、上り伝送に使用不可能な上りシンボルに対応するビット域の値と異なる。たとえば、１つの上りシンボルに対応するビット域の値が０である場合、当該上りシンボルが上り伝送に使用不可能であることを示し、１つの上りシンボルに対応するビット域の値が１である場合、当該上りシンボルが上り伝送に使用可能であることを示す。
【００９６】
例示的な実施形態において、シンボル設定情報は、Ｎビットのビット情報を含んでもよい。前記Ｎビットのビット情報と、上り伝送に使用不可能な上りシンボルのセットおよび上り伝送に使用不可能なシンボルの総数のうちの少なくとも１つとの間にマッピング関係が存在し、或いは、前記Ｎビットのビット情報と、上り伝送に使用可能な上りシンボルのセットおよび上り伝送に使用可能なシンボルの総数のうちの少なくとも１つとの間にマッピング関係が存在する。
【００９７】
例示的な実施形態において、前記方法は、シンボル設定情報に基づいて上りデータのマッピングリソース位置が使用不可能であることを確定した場合、当該上りデータを送信しないことをさらに含む。
【００９８】
本実施例において、ＵＥは、基地局から送信されたシンボル設定情報に基づき、上りデータのマッピングリソース位置を確定し、データマッピングを行って送信してもよい。上りデータの伝送に使用可能なシンボルがなければ、ＵＥは、対応する上りデータを伝送しない。
【００９９】
図９は、本発明の実施例に係る通信方法のフローチャートである。本例示的な実施例において、ＬＴＥ  ＴＤＤ比率２で、シンボルレベルの干渉が存在すると、ＵＥは、ＳＩＢ１におけるＰＵＳＣＨ  Ｓｙｍｂｏｌ  Ｃｏｎｆｉｇに基づき、ＰＵＳＣＨの伝送に使用可能なシンボルを確定してもよい。
【０１００】
図９に示すように、本実施例に係る通信方法は、ステップ９０１〜９０３を含む。
【０１０１】
ステップ９０１：ＵＥに上り伝送が存在するか否かを判断し、存在すれば、ステップ９０２に移行し、存在しなければ、終了する。
【０１０２】
ステップ９０２：ＳＩＢ１におけるＰＵＳＣＨ  Ｓｙｍｂｏｌ  Ｃｏｎｆｉｇに基づき、ＰＵＳＣＨの伝送に使用可能なシンボルを確定する。たとえば、ＳＩＢ１におけるＰＵＳＣＨ  Ｓｙｍｂｏｌ  Ｃｏｎｆｉｇの値が００１１である場合、ＵＥは、表１から１つの周期内の最初の３つの上りシンボル（それぞれスロット＃０における上りシンボル＃０、およびＵｐＰＴＳに設定された２つの上りシンボルである）がＰＵＳＣＨの伝送に使用不可能であることを知ってもよい。
【０１０３】
ステップ９０３：シンボル設定情報に基づき、上りデータを上り伝送する。
【０１０４】
図１０は、本発明の実施例に係る通信方法のフローチャートである。本例示的な実施例において、ＬＴＥ  ＴＤＤ比率２で、シンボルレベルの干渉が存在すると、ＵＥは、ＤＣＩにおけるＰＵＳＣＨ  Ｓｙｍｂｏｌ域に基づいてＰＵＳＣＨの伝送に使用可能なシンボルを確定してもよい。
【０１０５】
図１０に示すように、本実施例に係る通信方法は、ステップ１００１〜１００３を含む。
【０１０６】
ステップ１００１：ＵＥに上り伝送が存在するか否かを判断し、存在すれば、ステップ１００２に移行し、存在しなければ、終了する。
【０１０７】
ステップ１００２：ＤＣＩにおけるＰＵＳＣＨ  Ｓｙｍｂｏｌ域に基づいてＰＵＳＣＨの伝送に使用可能なシンボルを確定する。
【０１０８】
たとえば、ＤＣＩにおけるＰＵＳＣＨ  Ｓｙｍｂｏｌ域の値が００１０である場合、ＵＥは、表２から１つの周期内の最初の２つの上りシンボル（それぞれスロット＃０における上りシンボル＃０および＃１）がＰＵＳＣＨの伝送に使用不可能であることを知ってもよい。
【０１０９】
ステップ１００３：シンボル設定情報に基づき、上りデータを上り伝送する。
【０１１０】
図１１は、本発明の他の実施例に係る通信方法のフローチャートである。本例示的な実施例において、ＬＴＥ  ＴＤＤ比率２で、シンボルレベルの干渉が存在すると、ＵＥは、ＳＩＢ１におけるＰＵＳＣＨ  Ｓｙｍｂｏｌ  ＣｏｎｆｉｇおよびＤＣＩにおけるＰＵＳＣＨ  Ｓｙｍｂｏｌ域に基づいてＰＵＳＣＨの伝送に使用可能なシンボルを確定してもよい。
【０１１１】
図１１に示すように、本実施例に係る通信方法は、ステップ１１０１〜１１０３を含む。
【０１１２】
ステップ１１０１：ＵＥに上り伝送が存在するか否かを判断し、存在すれば、ステップ１１０２に移行し、存在しなければ、終了する。
【０１１３】
ステップ１１０２：ＳＩＢ１におけるＰＵＳＣＨ  Ｓｙｍｂｏｌ  ＣｏｎｆｉｇおよびＤＣＩにおけるＰＵＳＣＨ  Ｓｙｍｂｏｌ域により示された上り伝送に使用可能なシンボルの交差を、最終のＰＵＳＣＨの伝送に使用可能なシンボルのセットとして確定し、ＰＵＳＣＨのデータを送信する。
【０１１４】
ステップ１１０３：シンボル設定情報に基づき、上りデータを上り伝送する。
【０１１５】
図１２は、本発明の他の実施例に係る通信方法のフローチャートである。本例示的な実施例において、ＬＴＥ  ＴＤＤ比率２で、シンボルレベルの干渉が存在すると、ＵＥは、ＳＩＢ１におけるＰＵＳＣＨ  Ｓｙｍｂｏｌ  Ｃｏｎｆｉｇに基づいてＰＵＳＣＨの伝送に使用可能なシンボルを確定してもよい。そのうち、ＰＵＳＣＨ  Ｓｙｍｂｏｌ  Ｃｏｎｆｉｇは、ＵｐＰＴＳの上りシンボルが使用不可能であることを示し、且つＵＥＳＲＳは、ＵｐＰＴＳの上りシンボルに設定されて送信される。
【０１１６】
図１２に示すように、本実施例に係る通信方法は、ステップ１２０１〜１２０４を含む。
【０１１７】
ステップ１２０１：ＵＥは、ＳＲＳ送信サブフレームに到達する。
【０１１８】
ステップ１２０２：ＳＩＢ１におけるＰＵＳＣＨ  Ｓｙｍｂｏｌ  Ｃｏｎｆｉｇに基づき、ＳＲＳの所在するＵｐＰＴＳシンボルが使用可能であるか否かを確定し、使用不可能であれば、ステップ１２０３に移行し、存在しなければ、ステップ１２０４に移行する。
【０１１９】
ステップ１２０３：ＳＲＳを送信しない。
【０１２０】
ステップ１２０４：ＳＲＳを正常に送信する。
【０１２１】
図１３は、本発明の他の実施例に係る通信方法のフローチャートである。本例示的な実施例において、ＬＴＥ  ＴＤＤ比率２で、シンボルレベルの干渉が存在すると、基地局は、ＳＩＢ１を確定して送信し、当該ＳＩＢ１においてＰＵＳＣＨ  Ｓｙｍｂｏｌ  Ｃｏｎｆｉｇを更新する。そのうち、ＰＵＳＣＨ  Ｓｙｍｂｏｌ  Ｃｏｎｆｉｇは、ＵｐＰＴＳ上りシンボルが使用不可能であることを示し、且つ基地局は、ＳＲＳの使用可能なシンボルをＵｐＰＴＳに設定する。
【０１２２】
図１３に示すように、本実施例に係る通信方法は、ステップ１３０１〜１３０４を含む。
【０１２３】
ステップ１３０１：基地局は、ＰＵＳＣＨ  Ｓｙｍｂｏｌ  Ｃｏｎｆｉｇを更新する。
【０１２４】
ステップ１３０２：ＵｐＰＴＳ上りシンボルが使用可能であるか否かを判断し、ＹＥＳ（即ち使用可能）であれば、ステップ１３０３に移行し、使用不可能であれば、ステップ１３０４に移行する。
【０１２５】
ステップ１３０３：ＳＲＳリソースをＵｐＰＴＳに正常に割り当てる。
【０１２６】
ステップ１３０４：ＵＥのＳＲＳリソースをＵｐＰＴＳシンボルに割り当てない。
【０１２７】
図１４は、本発明の実施例に係る通信装置の模式図である。図１４に示すように、本実施例に係る通信装置は、シンボル設定情報を送信するように構成される送信モジュール１４０２を含む。
【０１２８】
例示的な実施形態において、シンボル設定情報は、上り伝送に使用不可能な上りシンボルおよび上り伝送に使用可能な上りシンボルのうちの少なくとも１つを指示するために用いられる。
【０１２９】
例示的な実施形態において、シンボル設定情報は、セルレベルの報知メッセージおよびＵＥレベルのライセンス情報のうちの少なくとも１つにより携帯されてもよい。たとえば、シンボル設定情報は、ＳＩＢ１、Ｍｏｂｉｌｉｔｙ  Ｃｏｎｔｒｏｌ  Ｉｎｆｏ→Ｒａｄｉｏ  Ｒｅｓｏｕｒｃｅ  Ｃｏｎｆｉｇ  ＣｏｍｍｏｎおよびＤＣＩのうちの少なくとも１つにより携帯されてもよい。
【０１３０】
例示的な実施形態において、本実施例における通信装置は、
予め設定したタイプの干渉を検出するように構成される検出モジュール１４００と、
干渉検出結果に基づき、シンボル設定情報を確定するように構成される確定モジュール１４０１と、をさらに含む。
【０１３１】
例示的な実施形態において、シンボル設定情報は、１つの周期内の各上りシンボルに対応するビット域の値を含んでもよい。そのうち、上り伝送に使用可能な上りシンボルに対応するビット域の値は、上り伝送に使用不可能な上りシンボルに対応するビット域の値と異なる。たとえば、１つの上りシンボルに対応するビット域の値が０である場合、当該上りシンボルが上り伝送に使用不可能であることを示し、１つの上りシンボルに対応するビット域の値が１である場合、当該上りシンボルが上り伝送に使用可能であることを示す。
【０１３２】
或いは、シンボル設定情報は、Ｎビットのビット情報を含んでもよい。前記Ｎビットのビット情報と、上り伝送に使用不可能な上りシンボルのセットおよび上り伝送に使用不可能なシンボルの総数のうちの少なくとも１つとの間にマッピング関係が存在し、或いは、前記Ｎビットのビット情報と、上り伝送に使用可能な上りシンボルのセットおよび上り伝送に使用可能なシンボルの総数のうちの少なくとも１つとの間にマッピング関係が存在する。
【０１３３】
本実施例に係る通信装置に関する説明は、基地局側の通信方法に対する説明を参照してもよいため、ここで繰り返し説明しない。
【０１３４】
図１５は、本発明の他の実施例に係る通信装置の模式図である。図１５に示すように、本実施例に係る通信装置は、
シンボル設定情報を取得するように構成される取得モジュール１５０１と、
シンボル設定情報に基づき、上りデータを上り伝送する処理モジュール１５０２と、を含む。
【０１３５】
例示的な実施形態において、シンボル設定情報は、上り伝送に使用不可能な上りシンボルおよび上り伝送に使用可能な上りシンボルのうちの少なくとも１つを指示するために用いられる。
【０１３６】
例示的な実施形態において、取得モジュール１５０１は、基地局から送信されたセルレベルの報知メッセージからシンボル設定情報を取得する形態、基地局から下り送信されたＵＥレベルのライセンス情報からシンボル設定情報を取得する形態、および基地局から送信されたセルレベルの報知メッセージおよびＵＥレベルのライセンス情報に基づき、シンボル設定情報を確定する形態のうちの１つでシンボル設定情報を取得するように構成される。
【０１３７】
例示的な実施形態において、シンボル設定情報は、１つの周期内の各上りシンボルに対応するビット域の値を含んでもよい。そのうち、上り伝送に使用可能な上りシンボルに対応するビット域の値は、上り伝送に使用不可能な上りシンボルに対応するビット域の値と異なる。たとえば、１つの上りシンボルに対応するビット域の値が０である場合、当該上りシンボルが上り伝送に使用不可能であることを示し、１つの上りシンボルに対応するビット域の値が１である場合、当該上りシンボルが上り伝送に使用可能であることを示す。
【０１３８】
或いは、シンボル設定情報は、Ｎビットのビット情報を含んでもよい。前記Ｎビットのビット情報と、上り伝送に使用不可能な上りシンボルのセットおよび上り伝送に使用不可能なシンボルの総数のうちの少なくとも１つとの間にマッピング関係が存在し、或いは、前記Ｎビットのビット情報と、上り伝送に使用可能な上りシンボルのセットおよび上り伝送に使用可能なシンボルの総数のうちの少なくとも１つとの間にマッピング関係が存在する。
【０１３９】
本実施例に係る通信装置に関する説明は、ＵＥ側の通信方法に対する説明を参照してもよいため、ここで繰り返し説明しない。
【０１４０】
図１６は、本発明の実施例に係る基地局の模式図である。図１６に示すように、本実施例に係る基地局１６００は、メモリー１６０１、１つのまたは複数のプロセッサ１６０２（図において１つしか示していない）およびメモリー１６０１に記憶されてプロセッサ１６０２において作動可能な通信プログラムを含む。そのうち、当該通信プログラムは、プロセッサ１６０２により読み取られて実行されると、前記基地局側の通信方法を実行する。
【０１４１】
そのうち、プロセッサ１６０２は、マイクロプロセッサ（Ｍｉｃｒｏｃｏｎｔｒｏｌｌｅｒ  Ｕｎｉｔ、ＭＣＵ）またはプログラマブルロジックデバイス（Ｆｉｅｌｄ−Ｐｒｏｇｒａｍｍａｂｌｅ  Ｇａｔｅ  Ａｒｒａｙ、ＦＰＧＡ）などの処理装置を含んでもよいが、それに限定されない。メモリー１６０１は、高速ランダムアクセスメモリーを含んでもよいし、不揮発性メモリー、たとえば１つまたは複数の磁気記憶装置、フラッシュメモリー、または他の不揮発性ソリッドステートメモリーを含んでもよい。一部のインスタンスにおいて、メモリー１６０１は、プロセッサ１６０２に対して遠隔配置されたメモリーをさらに含んでもよく、これらのリモートメモリーは、ネットワークによって基地局１６００に接続されてもよい。前記ネットワークのインスタンスは、インターネット、イントラネット、ローカルエリアネットワーク、モバイル通信ネットワーク、およびそれらの組み合わせを含んだが、それに限定されない。
【０１４２】
当業者であれば、図１６に示す構造は模式的なものに過ぎず、前記基地局の構造を限定するものではないことを理解すべきである。たとえば、基地局１６００は、図１６に示したものよりも多いかまたは少ないアセンブリを含むか、或いは図１６に示したものと異なる配置を有してもよい。
【０１４３】
図１６に示すように、本実施例に係る基地局１６００は、１つのネットワークを介してデータを受送信するように構成される伝送モジュール１６０３をさらに含んでもよい。１つのインスタンスにおいて、伝送モジュール１６０３は、無線周波数（Ｒａｄｉｏ  Ｆｒｅｑｕｅｎｃｙ、ＲＦ）モジュールであってもよい。伝送モジュール１６０３は、無線形態でインターネットと通信するために用いられる。
【０１４４】
図１７は、本発明の実施例に係るＵＥの模式図である。図１７に示すように、本実施例に係るＵＥ１７００は、メモリー１７０１、１つのまたは複数のプロセッサ１７０２（図において１つしか示していない）およびメモリー１７０１に記憶されてプロセッサ１７０２において作動可能な通信プログラムを含む。そのうち、当該通信プログラムは、プロセッサ１７０２により読み取られて実行されると、前記ＵＥ側の通信方法を実行する。
【０１４５】
そのうち、プロセッサ１７０２は、ＭＣＵまたはＦＰＧＡなどの処理装置を含んでもよいが、それに限定されない。メモリー１７０１は、高速ランダムアクセスメモリーを含んでもよいし、不揮発性メモリー、たとえば１つまたは複数の磁気記憶装置、フラッシュメモリー、または他の不揮発性ソリッドステートメモリーを含んでもよい。一部のインスタンスにおいて、メモリー１７０１は、プロセッサ１７０２に対して遠隔配置されたメモリーを含んでもよく、これらのリモートメモリーは、ネットワークによってＵＥ１７００に接続されてもよい。前記ネットワークのインスタンスは、インターネット、イントラネット、ローカルエリアネットワーク、モバイル通信ネットワーク、およびそれらの組み合わせを含んだが、それに限定されない。
【０１４６】
当業者であれば、図１７に示す構造は模式的なものに過ぎず、前記ＵＥの構造を限定するものではないことを理解すべきである。たとえば、ＵＥ１７００は、図１７に示したものよりも多いかまたは少ないアセンブリを含むか、或いは図１７に示したものと異なる配置を有してもよい。
【０１４７】
図１７に示すように、本実施例に係るＵＥ１７００は、１つのネットワークを介してデータを受送信するように構成される伝送モジュール１７０３をさらに含んでもよい。１つのインスタンスにおいて、伝送モジュール１７０３は、無線周波数（Ｒａｄｉｏ  Ｆｒｅｑｕｅｎｃｙ、ＲＦ）モジュールであってもよい。伝送モジュール１７０３は、無線形態でインターネットと通信するために用いられる。
【０１４８】
また、本発明の実施例は、通信プログラムが記憶されたコンピュータ可読媒体であって、前記通信プログラムがプロセッサにより実行されると、前記基地局側の通信方法を実現するコンピュータ可読媒体をさらに提供する。
【０１４９】
また、本発明の実施例は、通信プログラムが記憶されたコンピュータ可読媒体であって、前記通信プログラムがプロセッサにより実行されると、前記ＵＥ側的通信方法を実現するコンピュータ可読媒体をさらに提供する。
【０１５０】
当業者であれば、本明細書に開示される方法における一部または全部のステップ、システム、装置における機能モジュール／ユニットは、ソフトウェア、ファームウェア、ハードウェアおよびその適切な組み合わせとして実施されてもよいことを理解すべきである。ハードウェアの実施形態において、上記説明に言及した機能モジュール／ユニット同士の区画は、物理的なアセンブリの区画に対応するとは限らない。たとえば、１つの物理的なアセンブリは、複数の機能を有してもよいか、或いは１つの機能またはステップは、複数の物理的なアセンブリにより協力して実行されてもよい。一部または全部のアセンブリは、プロセッサ、たとえばデジタル信号プロセッサまたはマイクロプロセッサにより実行されるソフトウェアとして実施されてもよいか、或いはハードウェアとして実施されてもよいか、或いは集積回路、たとえば専用集積回路として実施されてもよい。このようなソフトウェアは、コンピュータ可読媒体において分布されてもよい。コンピュータ可読媒体は、コンピュータ記憶媒体（または非一時的な媒体）および通信媒体（または一時的な媒体）を含んでもよい。当業者に知られているように、コンピュータ可読媒体とは、情報（たとえば、コンピュータ可読コマンド、データ構造、プログラムモジュールまたは他のデータ）を記憶するためのいずれの方法または技術において実施される揮発性および不揮発性、リムーバブルおよび非リムーバブルの媒体を含んでもよい。コンピュータ記憶媒体は、ランダムアクセスメモリー（Ｒａｎｄｏｍ  Ａｃｃｅｓｓ  Ｍｅｍｏｒｙ、ＲＡＭ）、読み取り専用メモリー（Ｒｅａｄ−Ｏｎｌｙ  Ｍｅｍｏｒｙ、ＲＯＭ）、電気的消去可能プログラム可能読み取り専用メモリー（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、フラッシュメモリーまたは他のメモリー技術、コンパクト光ディスク読み取り専用メモリー（Ｃｏｍｐａｃｔ  Ｄｉｓｃ  Ｒｅａｄ−Ｏｎｌｙ  Ｍｅｍｏｒｙ、ＣＤ−ＲＯＭ）、デジタル多用途ディスク（Ｄｉｇｉｔａｌ  Ｖｅｒｓａｔｉｌｅ  Ｄｉｓｃ、ＤＶＤ）または他の光ディスク記憶、磁気ボックス、磁気テープ、磁気ディスク記憶または他の磁気記憶装置、若しくは所望の情報を記憶するために用いられるとともに、コンピュータによりアクセス可能ないずれの媒体を含んだが、それに限定されない。また、当業者に知られているように、通信媒体は、一般的に、コンピュータ可読コマンド、データ構造、プログラムモジュール、若しくはキャリアまたは他の伝送メカニズムなどの変調データ信号における他のデータを含むとともに、いずれの情報伝送媒体を含んでもよい。
【０１５１】
以上内容は、本発明の基本的な原理、主な特徴および本発明の利点が示され、説明されている。
【図１】
2020529788.tif 000005
【図２】
2020529788.tif 000006
【図３】
2020529788.tif 000007
【図４】
2020529788.tif 000008
【図５】
2020529788.tif 000009
【図６】
2020529788.tif 000010
【図７】
2020529788.tif 000011
【図８】
2020529788.tif 000012
【図９】
2020529788.tif 000013
【図１０】
2020529788.tif 000014
【図１１】
2020529788.tif 000015
【図１２】
2020529788.tif 000016
【図１３】
2020529788.tif 000017
【図１４】
2020529788.tif 000018
【図１５】
2020529788.tif 000019
【図１６】
2020529788.tif 000020
【図１７】
2020529788.tif 000021
【国際調査報告】
2020529788.tif 000022
2020529788.tif 000023
2020529788.tif 000024
2020529788.tif 000025